(57)【要約】【課題】冷凍サイクル装置の室外ユニットは、外気温センサを備えている。外気温センサは、装置の制御に用いられている。積雪地方においては、この外気温センサ、または外気温センサの取り付け具に積雪すると、外気温が正しく読み取れず、制御に支障を来たすと言う課題があった。【解決手段】冷凍サイクル装置（１）は、室外ユニット（１０）を備えている。室外ユニット（１０）は、筐体（２０）と、外気温センサ（３０）と、外気温センサを覆うカバー（４０）とを有している。カバー（４０）は、外気温センサ（３０）の上方であって、筐体（２０）に近い側から離れるに側に向かって下方へ傾斜している第１面（４１）を有している。【選択図】図３Ｂ
2020134085.tif 000002
【特許請求の範囲】
【請求項１】
室外ユニット（１０）を備える冷凍サイクル装置（１）であって、
前記室外ユニットは、
筐体（２０）と、
前記筐体の外側面に固定され、室外温度を検出する外気温センサ（３０）と、
前記外気温センサを覆うカバー（４０）と、
を有し、
前記カバーは、前記外気温センサの上方において、前記筐体に近い側から離れる側に向かって下方へ傾斜している第１面（４１）を有し、
前記カバーの下部は開放されている、
冷凍サイクル装置。
【請求項２】
前記カバーは、さらに、
前記第１面より下方で、かつ、前記第１面から連続している第２面（４２）
を有し、
前記第２面は、前記外気温センサと同じ高さで、前記外気温センサを覆う、
請求項１に記載の冷凍サイクル装置。
【請求項３】
前記カバーは、さらに、
前記第１面の両側に、側面（４３、４４）を有する、
請求項１または２に記載の冷凍サイクル装置。
【請求項４】
前記室外ユニットは、さらに、前記外気温センサを前記筐体に取り付ける取り付け具（３５）を有し、
前記カバーは、前記取り付け具の上方を覆っている、
請求項１〜３のいずれか１項に記載の冷凍サイクル装置。
【請求項５】
前記取り付け具と前記カバーとの間には隙間がある、
請求項４に記載の冷凍サイクル装置。
【請求項６】
前記室外ユニットは、さらに、熱交換器（２１）を有し、
前記外気温センサは、前記熱交換器に対向して配置されている、
請求項１〜５のいずれか１項に記載の冷凍サイクル装置。
【請求項７】
前記カバーは前記熱交換器に対向して配置され、
前記カバーの水平方向の幅は、前記熱交換器の水平方向の幅よりも小さく、前記外気温センサの水平方向の幅よりも大きい、
請求項６に記載の冷凍サイクル装置。
【請求項８】
前記カバーの前記第１面の傾斜角は、水平より４５°以上７０°以下である、
請求項１〜７のいずれか１項に記載の冷凍サイクル装置。
【請求項９】
前記カバーと、前記熱交換器との間隔は、３ｍｍ以上である、
請求項６〜８のいずれか１項に記載の冷凍サイクル装置。
【請求項１０】
前記カバーは、金属製である、
請求項１〜９のいずれか１項に記載の冷凍サイクル装置。
【請求項１１】
前記カバーと前記筐体の材質は同一である、
請求項１０に記載の冷凍サイクル装置。
【請求項１２】
前記カバーは、前記筐体の一部として一体に形成されている、
請求項１〜１１のいずれか１項に記載の冷凍サイクル装置。
【発明の詳細な説明】
【技術分野】
【０００１】
冷凍サイクル装置の室外ユニットに配置される外気温センサのカバーに関する。
【背景技術】
【０００２】
冷凍サイクル装置の室外ユニットには、通常、外気温を測定する温度センサが取り付けられ、冷凍サイクル装置の制御に利用されている。特許文献１（特開２００９−２１０１３５号公報）は、このような外気温センサの取り付け具を開示している。
【発明の概要】
【発明が解決しようとする課題】
【０００３】
冷凍サイクル装置の室外ユニットは室外に配置されるため、積雪地域においては、室外ユニットに積雪することが起こりうる。室外ユニットに積雪した場合、外気温センサに雪が積もってしまうことや、外気温センサに直接雪が積もっていなかったとしても、外気温センサと積もった雪との間で何らかの熱伝達経路ができてしまうことが起こりうる。この場合、外気温センサは、正しく外気温を計測できなくなる。外気温センサが正しく温度を読み取れないと、冷凍サイクル装置の制御に支障をきたす恐れがある。
【課題を解決するための手段】
【０００４】
第１観点の冷凍サイクル装置は、室外ユニットを備えている。室外ユニットは、筐体と、外気温センサと、カバーとを有する。外気温センサは、室外温度を検出する。外気温センサは、筐体の外側面に固定されている。ここで、筐体の外側面とは、上面と底面を除く、鉛直方向に広がる面を意味する。カバーは、外気温センサを覆う。カバーは、第１面を有する。第１面は、外気温センサの上方である。第１面は、筐体に近い側から離れる側に向かって、下方に傾斜している。カバーの下部は開放されている。
【０００５】
第１観点の冷凍サイクル装置は、外気温センサの上方に傾斜している第１面を有しているので、外気温センサに、積雪しにくい。したがって、外気温が適切に計測され、冷凍サイクル装置の運転制御に影響が出にくい。
【０００６】
第２観点の冷凍サイクル装置は、第１観点の冷凍サイクル装置であって、カバーは、さらに、第２面を有している。第２面は、第１面より下方である。第２面は、第１面から連続している。第２面は外気温センサと同じ高さである。ここで、同じ高さとは、水平方向に重なる部分があると言う意味である。第２面は、外気温センサを覆っている。
【０００７】
第２観点の冷凍サイクル装置は、第１面から連続し、外気温センサと同じ高さで、外気温センサを覆う第２面を有しているので、水平方向からの雪の侵入を防ぎ、外気温の計測に障害が出にくい。
【０００８】
第３観点の冷凍サイクル装置は、第１観点又は第２観点の冷凍サイクル装置であって、さらに、側面を有する。側面は、第１面の両側にある。
【０００９】
第３観点の冷凍サイクル装置は、カバーの第１面の両側に側面を有するので、さらに、外気温センサに積雪しにくい。
【００１０】
第４観点の冷凍サイクル装置は、第１観点から第３観点のいずれかの冷凍サイクル装置であって、さらに、取り付け具を有する。取り付け具は、外気温センサを筐体に取り付ける。カバーは、取り付け具の上方を覆っている。
【００１１】
第４観点の冷凍サイクル装置は、取り付け具があるとその上に雪が溜まり易いが、カバーが取り付け具を覆っているので、取り付け具に積雪する可能性が低い。
【００１２】
第５観点の冷凍サイクル装置は、第４観点の冷凍サイクル装置であって、取り付け具とカバーとの間には隙間がある。
【００１３】
第５観点の冷凍サイクル装置は、取り付け具とカバーとの間には隙間があるので、カバーの熱が、取り付け具を伝って、外気温センサに伝わる可能性が低い。したがって、外気温センサが適切に外気温を測定できる可能性が高い。
【００１４】
第６観点の冷凍サイクル装置は、第１観点〜第５観点いずれかの冷凍サイクル装置であって、室外ユニットは、さらに、熱交換器を有する。外気温センサは、熱交換器に対向して配置されている。
【００１５】
第６観点の冷凍サイクル装置は、外気温センサが熱交換器に対向して配置されているので、熱交換器を通過する前の外気の温度を測定することができる。
【００１６】
第７観点の冷凍サイクル装置は、第６観点の冷凍サイクル装置であって、カバーは、熱交換器に対向して配置されている。カバーの水平方向の幅は、熱交換器の幅よりも小さく、温度センサの水平方向の幅よりも大きい。
【００１７】
第７観点の冷凍サイクル装置は、カバーの幅が温度センサの幅より大きいので、温度センサ全体に積雪を防止することができる。また、カバーの幅は、熱交換器の幅よりも小さいので、外気が熱交換器に流入するのを大きく阻害することはない。
【００１８】
第８観点の冷凍サイクル装置は、第１観点〜第７観点いずれかの冷凍サイクル装置であって、第１面の傾斜角は、水平から４５°以上７０°以下である。
【００１９】
第８観点の冷凍サイクル装置においては、第１面の傾斜角が、水平から４５°以上であるので、第１面への積雪を防止できる。また、第１面の傾斜角が、水平から７０°以下であるので、必要以上に第１面を大きくすることがない。
【００２０】
第９観点の冷凍サイクル装置は、第６観点〜第８観点いずれかの冷凍サイクル装置であって、カバーと、熱交換器との間隔は、３ｍｍ以上である。
【００２１】
第９観点の冷凍サイクル装置は、カバーと熱交換器との間隔が３ｍｍ以上あるので、カバーと熱交換器の間に水がブリッジしてしまい熱伝達経路ができてしまうことを抑制できる。
【００２２】
第１０観点の冷凍サイクル装置は、第１観点〜第９観点いずれかの冷凍サイクル装置であって、カバーが金属製である。
【００２３】
第１０観点の冷凍サイクル装置は、カバーが金属製であるので、耐寒性と耐候性に優れている。
【００２４】
第１１観点の冷凍サイクル装置は、第１０観点の冷凍サイクル装置であって、カバーと筐体の材質は同一である。
【００２５】
第１１観点の冷凍サイクル装置は、カバーと筐体の材質は同一であるので、電食を防ぐ。
【００２６】
第１２観点の冷凍サイクル装置は、第１観点〜第１１観点いずれかの冷凍サイクル装置であって、カバーが筐体の一部として一体に形成されている。
【００２７】
第１２観点の冷凍サイクル装置においては、カバーが筐体の一部として一体に形成されているので、耐久性に優れている。
【図面の簡単な説明】
【００２８】
【図１】第１実施形態の冷凍サイクル装置１の室外ユニット１０の斜視図である。
【図２】従来の冷凍サイクル装置１の室外ユニット１０の斜視図である。
【図３Ａ】第１実施形態において、後面から見たカバー４０の図である。
【図３Ｂ】第１実施形態において、後左から見たカバー４０の図である。
【図３Ｃ】第１実施形態において、後右から見たカバー４０の図である。
【図４】第１実施形態の外気温センサの取り付け具３５の斜視図である。
【図５】変形例１Ａのカバー４０ａの図である。
【図６】変形例１Ｂのカバー４０ｂの図である。
【図７】変形例１Ｃのカバー４０ｃの図である。
【発明を実施するための形態】
【００２９】
＜第１実施形態＞
（１）冷凍サイクル装置１の室外ユニット１０
本実施形態の冷凍サイクル装置１は、蒸気圧縮式の冷凍装置である。本実施形態の冷凍サイクル装置１は、圧縮機、室内熱交換器、膨張弁、室外熱交換器、を有している。
【００３０】
本実施形態の冷凍サイクル装置は、室外ユニット１０と、室内ユニットと、室外ユニット１０と室内ユニットを接続する冷媒配管と、を有している。本実施形態の室内ユニット（図示せず）は、室内熱交換器を有している。本実施形態の室外ユニット１０の外観を図１に示す。室外ユニット１０は、筐体２０の中に、室外熱交換器２１と、圧縮機（図示せず）、膨張弁（図示せず）、室外ファン（図示せず）を収容している。
【００３１】
筐体２０は、図１の矢印に示すように、上面と下面のほかに、前、後、右、左の４つの側面を有している。なお、本明細書における右、左は、図１に示すように、後面から見た方向で定義するものとする。室外ユニット１０は、屋外に配置される。そして、室内ファンの回転により、後面より、吸込まれた空気は、前面より吹出される。空気は、室外ユニット１０を通過している間に、熱交換器２１で、冷媒と熱交換を行う。図１においては、熱交換器２１は、筐体２０の後面と右面とに面して配置されている。
【００３２】
本実施形態の室外ユニット１０は、さらに、外気温センサ３０と、外気温センサ３０の取り付け具３５と、カバー４０とを有している。この構成について、次に、詳述する。
【００３３】
（２）詳細構成
（２−１）外気温センサ３０と、取り付け具３５
第１実施形態の室外ユニット１０の後左方向から見た斜視図を図１に、従来の室外ユニット１０の後左方向から見た斜視図を図２に示す。図２は、図１でカバー４０を取り外した図といってもよい。また、図４に取り付け具３５の斜視図を示す。
【００３４】
外気温センサ３０は、取り付け具３５に取り付けられている。取り付け具３５は、筐体２０の後面に、取り付けられている。図１、２においては、外気温センサ３０は、熱交換器２１に対向するように配置されている。
【００３５】
取り付け具３５は、図４に示すように、保持部３２と、蓋３３と、突起３４とを有している。保持部３２は、外気温センサ３０を保持する。蓋３３は、図４の矢印に示すように、取り付け具３５を折り曲げることによって、外気温センサ３０を覆う。保持部３２と、蓋３３には、それぞれ穴が開けられている。外気は、この穴を通じて、外気温センサ３０を通過して、筐体２０内部へ向かう。突起３４は、筐体２０の外側から筐体２０に設けられた穴に嵌め合わせられて、取り付け具３５を筐体２０に固定する。取り付け具３５は、樹脂製である。筐体２０は、金属板である。
【００３６】
外気温センサ３０は、外気温度を計測することができる。外気温センサ３０は、サーミスタである。サーミスタとは、温度変化に対して電気抵抗の変化の大きい抵抗体である。外気温センサ３０は、電気配線で、筐体２０の内部の電装品（図示せず）に接続されている。
【００３７】
（２−２）カバー４０
本実施形態のカバー４０を図面を用いて説明する。図１は、室外ユニット１０において、カバー４０の取り付け位置を示している。図３Ａ、３Ｂ、３Ｃは、カバー４０をそれぞれ、後方、後左、後右から見た図である。
【００３８】
本実施形態のカバー４０は、図１、図３Ａに示すように、室外ユニット１０の筐体２０の後面の熱交換器が配置されている部分に対向して配置されている。カバー４０の後方から見た面積は、筐体２０の後面の１％以上５％以下である。カバーが大きすぎると、外気の熱交換器への通風を阻害し、好ましくない。
【００３９】
カバー４０は、外気温センサ３０と、外気温センサの取り付け具３５に直接接触しないように、筐体２０の後面に筐体の外側から固定されている。取り付け具３５とカバー４０との間の隙間は、２ｍｍ以上５ｍｍ以下である。隙間が２ｍｍ以上は無いと、隙間に雪が入り込んだときに、熱伝達経路ができてしまう恐れがある。また、隙間が５ｍｍを超えると、隙間に雪が入り込む恐れが高い。
【００４０】
本実施形態においては、カバー４０は、一枚の金属板を切断、折り曲げ加工をして形成されている。金属板の主材料は、鉄である。金属板は、筐体２０と同じ材料で形成されている。
【００４１】
本実施形態のカバー４０は、第１面４１と、第２面４２と、側面４３、４４と、下面４５と、取り付け部４６、４７とを有している。
【００４２】
第１面４１は、外気温センサ３０、取り付け具３５の上方に配置されている。第１面４１は、筐体２０に近い側から離れる側に向かって下方へ傾斜している。傾斜角は、水平から４５°以上７０°以下である。第１面が傾斜しているため、雪が、カバーに積もりにくい。より好ましくは、５５°以上７０°以下である。
【００４３】
第２面４２は、外気温センサ３０、取り付け具３５と同等の高さで、外気温センサ３０を覆っている。第２面４２は、第１面４１より下方である。第２面４２は、鉛直方向に延びている。第２面４２は、第１面４１と連続しているが、第２面４２と第１面の間は、折れ曲がっている。
【００４４】
第１面４１、第２面４２は、平面である。曲面であっても良い。
【００４５】
側面４３、４４は、鉛直方向に延びている。側面４３、４４は、第１面４１と連続しているが、その境界線で、折れ曲がっている。第１面４１、第２面４２、側面４３、４４で、外気温センサ３０および取り付け具３５の保持部３２の上方および側方を覆っている。これによって、外気温センサ３０および取り付け具３５の保持部３２に積雪するのを防いでいる。
【００４６】
一方、外気温センサ３０または取り付け具３５の保持部３２の下方は、一部、下面４５が存在する領域を除いて、開放されている。室外ユニット１０のファンが回転すると、このカバー４０の下方より、外気がカバー４０の内部に入り、外気温センサ３０、熱交換器２１を通過して、室外ユニット１０の外に出る。このように熱交換器２１通過前の空気（外気）が外気温センサ３０に当たることにより、外気温を正しく計測することができる。
【００４７】
下面４５は、第２面の下方に配置されている。下面４５は、第２面４２に連続しているが、その境界線で折れ曲がっている。下面４５の下端や側面４３の上端には、取り付け部４６、４７が配置されている。取り付け部４６、４７の穴を、筐体２０の穴にあわせて、ネジ５１，５２を穴に嵌めこみ、カバー４０を筐体２０に固定する。下面４５は、カバー４０を筐体２０に固定する目的で配置されている。大きすぎると、外気温センサ３０への外気の通風を阻害するので、強度が確保できる範囲で、なるべく小さくするのが好ましい。
【００４８】
（３）特徴
（３−１）
本実施形態の冷凍サイクル装置１の室外ユニット１０は、筐体２０と、熱交換器２１と、外気温センサ３０と、外気温センサの取り付け具３５と、カバー４０と、を有している。外気温センサ３０は取り付け具３５に取り付けられ、取り付け具３５は、筐体２０の後面に固定されている。外気温センサ３０は、熱交換器２１に対向して配置されている。外気温センサ３０は、外気温を検出する。計測された外気温は、冷凍サイクル装置１の運転制御に利用される。カバー４０は外気温センサ３０と取り付け具３５とを覆う。カバー４０は、第１面４１を有している。第１面４１は、外気温センサ３０と取り付け具３５の上方であって、筐体２０に近い側から離れる側に向かって下方へ傾斜している。さらに、カバー４０の下部は開放されている。
【００４９】
本実施形態の冷凍サイクル装置１においては、外気温センサ３０と取り付け具３５を覆う、カバー４０が配置され、かつ、カバーが傾斜している第１面４１を有している。したがって、外気温センサ３０と取り付け具３５に積雪しにくく、かつ、カバーにも積雪しにくい。さらに、カバー４０の下部は開放されているため、カバーの下部より進入した空気が外気温センサ３０を通過して、筐体２０の後面にある熱交換器２１に流れやすい。したがって、本実施形態の外気温センサ３０は、外気温を適正に計測できる。さらに、外気温を用いた冷凍サイクル装置の運転制御が適正に行える。
【００５０】
ここで、外気温を用いた冷凍サイクル装置の運転制御について、具体例で説明しておく。例としては、除霜運転である。暖房運転時に、室外熱交換器に着霜すると熱交換器の能力が落ちるため、除霜運転が行われる。除霜運転の方法のひとつは、冷媒の流れを冷房時と同様に、圧縮機を出た高温の冷媒を室外熱交換器に流して着霜を溶かすような運転を行う。
【００５１】
除霜運転開始についての課題として次のことがある。外気温センサに積雪し、雪が氷結して、熱交換器との間に熱伝達経路ができてしまった場合、外気温センサが実質的に熱交換器の温度を計測してしまうことが起こりうる。ここで、熱伝達経路とは、雪が固まった氷である。除霜運転の開始のきっかけとして、着霜を検知するのは、外気温に対して、熱交換器の温度が相対的に低下した場合である。熱伝達経路ができてしまうと、外気温センサの計測温度が熱交換器の温度に追随して低下する。その結果、除霜運転開始の熱交換器の着霜が進んでも、装置が除霜運転の開始を判断できなくなる。
【００５２】
本実施形態の冷凍サイクル装置では、カバーを配置しているために、このような熱伝達経路は発生しにくく、除霜運転が必要なときに開始されなくなる不具合の発生を抑制できる。
【００５３】
（３−２）
本実施形態の冷凍サイクル装置１においては、カバー４０は、さらに、第２面４２を有している。第２面４２は、第１面４１より下方で、かつ、第１面４１から連続している。      
【００５４】
第２面４２は、外気温センサ３０と同じ高さで、外気温センサ３０と取り付け具３５を覆う。
【００５５】
本実施形態の冷凍サイクル装置１においては、カバー４０は、さらに、側面４３、４４を有する。側面４３、４４は、第１面４１の両側である。
【００５６】
本実施形態の冷凍サイクル装置において、カバー４０は、第１面に加えて、第２面４２、側面４３、４４を有しているので、外気温センサ３０と取り付け具３５の上部だけでなく、斜め上方、横からの風雪も防止できる。
【００５７】
（３−３）
本実施形態の冷凍サイクル装置１においては、さらに、取り付け具３５とカバー４０との間には隙間がある。
【００５８】
隙間があるために、取り付け具３５とカバーとの間で熱伝達経路が出来にくい。
【００５９】
（３−４）
カバー４０は熱交換器２１に対向して配置され、カバー４０の水平方向の幅は、熱交換器２１の水平方向の幅よりも小さく、外気温センサ３０の水平方向の幅よりも大きい。
【００６０】
言い換えると、カバー４０は、外気温センサ３０を覆ってはいるが、熱交換器２１の後面の一部を覆っているに過ぎない。カバーが熱交換器の後面の多くの部分を覆っていると、熱交換器を通過する風量が低下し、熱交換器の熱交換能力の低下に繋がる。
【００６１】
（３−５）
本実施形態の冷凍サイクル装置において、カバー４０の第１面４１の傾斜角は、水平より４５°以上７０°以下である。
【００６２】
カバーの傾斜角が４５°未満であると、積雪する可能性が高い。傾斜角が７０°を超えると、カバーが大きくなり、熱交換器を覆う面積が大きくなってしまう恐れがある。
【００６３】
（３−６）
本実施形態の冷凍サイクル装置において、カバー４０と、熱交換器２１は、離れて配置されている。カバー４０と、熱交換器２１が離れているので、両者間で熱伝達しにくい。
【００６４】
また、カバー４０と、熱交換器２１との間隔は、３ｍｍ以上である。カバーと熱交換器が十分に離れているので、多少の積雪があっても、カバーと熱交換器の間に水や氷による熱伝達経路ができにくく、熱伝達を遮断できる。  
【００６５】
（３−７）
本実施形態の冷凍サイクル装置１において、カバー４０は、金属製である。カバーが金属製なので耐候性が高く、低気温に対して耐久性が高い。
【００６６】
（３−８）
本実施形態の冷凍サイクル装置１において、カバー４０と筐体２０の材質は同一である。
【００６７】
カバーと筐体が同一の材料で構成されているので、電食による腐食がおきにくい。
【００６８】
（４）変形例
（４−１）変形例１Ａ
第１実施形態では、カバー４０と、筐体２０は、別体である。一体に形成しても良い。変形例１Ａにおいては、図５に示すように、カバー４０ａは、筐体２０と一体に構成されている。そのため、第１実施形態のカバー４０においては、下面４５、取り付け部４６、４７が存在していたが、変形例１Ａでは、このような部分はない。変形例１Ａでは、側面４３が、筐体２０と連続しているため、格別に取り付け部を用意する必要はない。
【００６９】
変形例１Ａのカバー４０ａは、特別の取り付け部分が無いため、耐久性に優れている。また、取り付け部分がある場合に比べて、部品点数を減らすことができる。  
【００７０】
（４−２）変形例１Ｂ
第１実施形態、変形例１Ａでは、第１面４１、第２面４２は、連続しているが、境界で折れ曲がっている。変形例１Ｂのカバー４０ｂは、図６に示すように、第１面４１ｂと第２面４２ｂの境界は折れ曲がっておらず、両者は連続した平面である。
【００７１】
変形例１Ｂの場合も、第１実施形態と同様の（３−１）〜（３−８）の特徴を有する。変形例１Ｂのカバーは、第１実施形態のカバーよりも製造が容易である。
【００７２】
（４−３）変形例１Ｃ
図７に示すように、変形例１Ｃのカバー４０Ｃは、第１実施形態のカバー４０と類似しているが、カバー４０の下面４５に相当する部分がない。その代わりに、取り付け部４８は、側面４３の下部に配置されている。カバー４０と同様に、カバー４０ｃは、取り付け部４６、４８の穴を、筐体２０の穴にあわせて、ネジ５１、５３を穴に嵌めこみ、カバー４０を筐体２０に固定する。
【００７３】
変形例１Ｃのカバー４０Ｃは、下面４５に相当する部分がないので、より、外気温センサ３０、熱交換器２１に対する通風が良い。
【００７４】
（４−４）変形例１Ｄ
変形例１Ｄの冷凍サイクル装置１の室外ユニット１０は、外気温センサ３０の取り付け具を備えていない。外気温センサ３０は直接筐体２０に取り付けられている。カバー４０は、直接外気温センサ３０を覆っている。
【００７５】
変形例１Ｄの冷凍サイクル装置１も、第１実施形態の冷凍サイクル装置１と同様に、（３−１）、（３−２）、（３−４）〜（３−８）の構成、作用効果を有する。
【００７６】
（４−５）変形例１Ｅ
変形例１Ｅの冷凍サイクル装置１は、室外ユニットが、第１実施形態と異なる。変形例１Ｅの室外ユニットは、筐体２０の上面に空気の吹出し口が配置され、熱交換器は、筐体内部の側面に配置され、ファンは、筐体内部の上部に配置されている。ファンが回転すると、筐体の側面から吸込まれた空気が熱交換器中の冷媒と熱交換を行い、筐体上面の吹出し口から吹出される。
【００７７】
変形例１Ｅにおいては、第１実施形態と同様に、外気温センサ３０、取り付け具３５、カバー４０は、筐体の側面の空気の取り込み口の端部であって、熱交換器に対向する部分に取り付けられる。
【００７８】
変形例１Ｅの冷凍サイクル装置においても、第１実施形態の冷凍サイクル装置１と同様に、（３−１）〜（３−８）の構成、作用効果を有する。
【００７９】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００８０】
１                冷凍サイクル装置
１０              室外ユニット
２０              筐体
２１              熱交換器
３０              外気温センサ
３５              取り付け具
４０、４０ａ、４０ｂ      カバー
４１、４１ｂ      第１面
４２、４２ｂ      第２面
４３、４４、４３ｂ        側面
４５              下面
【先行技術文献】
【特許文献】
【００８１】
【特許文献１】特開２００９−２１０１３５号公報
【図１】
2020134085.tif 000003
【図２】
2020134085.tif 000004
【図３Ａ】
2020134085.tif 000005
【図３Ｂ】
2020134085.tif 000006
【図３Ｃ】
2020134085.tif 000007
【図４】
2020134085.tif 000008
【図５】
2020134085.tif 000009
【図６】
2020134085.tif 000010
【図７】
2020134085.tif 000011